(57)【要約】【課題】重複する設定事項の設定を簡単化することが可能な放送受信装置を提供すること。【解決手段】放送受信装置は、ネットワークを介して接続された情報提供先から、地域情報及びチャンネル情報のうちの少なくとも一方の情報を含む設定情報を受信する受信手段と、前記受信手段により受信された設定情報を設定する設定手段と、前記設定手段により設定された設定情報に基づき放送を受信する放送受信手段とを備えている。【選択図】      図５
2007006245.tif 000002
【特許請求の範囲】
【請求項１】
ネットワークを介して接続された情報提供先から、地域情報及びチャンネル情報のうちの少なくとも一方の情報を含む設定情報を受信する受信手段と、
前記受信手段により受信された設定情報を設定する設定手段と、
前記設定手段により設定された設定情報に基づき放送を受信する放送受信手段と、
を備えたことを特徴とする放送受信装置。
【請求項２】
前記設定情報を送信する送信手段を備えたことを特徴とする請求項１に記載の放送受信装置。
【請求項３】
前記設定手段に設定された設定情報を編集する編集手段と、
前記編集手段により編集された設定情報を送信する送信手段と、
を備えたことを特徴とする請求項１に記載の放送受信装置。
【請求項４】
ネットワークを介して接続された１又は複数の情報提供先を表示する表示手段と、
前記表示手段により表示された１又は複数の情報提供先の中から所定の情報提供先を選択する選択手段と、
を備え、
前記受信手段は、前記選択手段により選択された所定の情報提供先から設定情報を受信する、
ことを特徴とする請求項１に記載の放送受信装置。
【請求項５】
前記受信手段は、複数の情報提供先から複数の設定情報を受信し、
前記設定手段は、これら複数の設定情報のうち共通する情報を選択し設定する、
ことを特徴とする請求項１に記載の放送受信装置。
【請求項６】
前記受信手段は、情報提供先から、主映像に関する再生制御情報、副映像に関する再生制御情報、及び音声に関する再生制御情報のうちの少なくとも一つの再生制御情報を受信し、
前記設定手段は、受信した再生制御情報を設定する、
ことを特徴とする請求項１に記載の放送受信装置。
【発明の詳細な説明】
【技術分野】
【０００１】
本発明は、テレビ放送等を受信する放送受信装置に関する。
【背景技術】
【０００２】
テレビ放送表示出力機器及びテレビ放送録画機器などのテレビ放送受信機器において、テレビ放送を視聴又は録画するには、地域により異なるチャンネル設定が必要である。例えば、テレビ放送受信機器は、受信可能なチャンネルを自動的にサーチし設定する自動チャンネル設定機能を搭載している。ユーザは、この自動チャンネル設定機能を利用して、テレビ放送受信機器のチャンネル設定を完了することができる。或いは、予めチャンネル情報を記憶したチャンネル設定用リモコンを用いて、テレビ放送受信機器に対してチャンネル情報を設定する技術が知られている（特許文献１参照）。また、テレビ放送受信機器は、設定されたチャンネルに対して、ユーザ所望のチャンネル番号を割り当てることもできる（チャンネル番号のカスタマイズ）。
【特許文献１】特開２００２−３００４８６
【発明の開示】
【発明が解決しようとする課題】
【０００３】
テレビ放送受信機器が複数台設置される環境では、全てのテレビ放送受信機器に対して上記したチャンネル設定が必要であり、またチャンネル番号をカスタマイズする場合には、全てのテレビ放送受信機器において共通のカスタマイズが好まれる（使い勝手が良い）。
【０００４】
複数台のテレビ放送受信機器に対して、一台ずつチャンネル設定を行ない、またチャンネル番号をカスタマイズするのは、非常に面倒であり、ユーザにとって負担となっている。
【０００５】
本発明の目的は、上記課題を解決するためになされたものであり、重複する設定事項の設定を簡単化することが可能な放送受信装置を提供することにある。
【課題を解決するための手段】
【０００６】
この発明の放送受信装置は、ネットワークを介して接続された情報提供先から、地域情報及びチャンネル情報のうちの少なくとも一方を含む設定情報を受信する設定情報受信手段と、前記設定情報受信手段により受信された設定情報を設定する設定情報設定手段と、前記設定情報設定手段により設定された設定情報に基づき放送を受信する放送受信手段とを備えている。
【発明の効果】
【０００７】
本発明によれば、重複する設定事項の設定を簡単化することが可能な放送受信装置を提供できる。
【発明を実施するための最良の形態】
【０００８】
以下、図面を参照し、本発明の実施形態について説明する。
【０００９】
図１は、ホームＡＶネットワークの一例を示す図である。図１に示すように、ホームＡＶネットワークには、イーサネット（登録商標）などの通信ネットワークを介して、テレビ放送を受信する機能（チューナー）を持つテレビ放送受信装置（テレビ１Ａ、映像記録装置１Ｂ、テレビ１Ｃ、テレビ１Ｄ）が複数接続されている。さらに、このホームＡＶネットワークには、通信ネットワークを介して、同じくテレビ放送を受信する機能（チューナー）を持つテレビ放送受信装置（映像記録装置１Ｅ）が接続されようとしている。これらテレビ放送受信装置は、通信ネットワークを介して相互に情報をやり取りすることができる。また、各テレビ放送受信装置には、テレビ放送を受信するためにアンテナ線が接続されている。
【００１０】
テレビ放送を正しく受信し機能を有効化するためには、各テレビ放送受信装置に搭載されたチューナーに、地域情報（都道府県、郵便番号）及びチャンネル情報などの情報を設定する必要がある。チャンネル情報は、実際に受信するチャンネル番号、この受信チャンネル番号に対応するリモコンボタン番号、この受信チャンネル番号に対応する表示チャンネル番号、チャンネルサーチ時にスキップする／しないなどの情報を含む。図２は、地域情報の一例を示す図であり、図３はチャンネル情報の一例を示す図である。
【００１１】
従来は、テレビ放送受信装置ごとに、ユーザがこれら情報を設定する必要があった。つまり、テレビ放送受信装置がホームＡＶネットワークに増設されるたび、ユーザがこれら情報を設定する必要があった。こうした設定は、同じ情報を入力するだけでなく、（同じ結果となる）チャンネルスキャンに時間を要するなど、ユーザに操作的、時間的な負担を強いるものである。
【００１２】
１つのホームＡＶネットワークにおいては、テレビ放送受信装置が設置される地域情報及びチャンネル情報のうちの実際に受信するチャンネル番号は一意に決めることができる。また、チャンネル情報のうちの受信チャンネル番号に対応するリモコンボタン番号、受信チャンネル番号に対応する表示チャンネル番号、チャンネルサーチ時にスキップする／しないなどの情報は、各テレビ放送受信装置間で共通にすることにより、ユーザの利便性を高めることができる。
【００１３】
この発明のテレビ放送受信装置は、ネットワークを介して接続された情報提供先（他のテレビ放送受信装置）から、必要となる設定情報（地域情報及びチャンネル情報のうちの少なくとも一方）を取得し、取得した設定情報を設定する。これにより、ユーザが多くの設定情報をいちいち設定しなくて済み、情報設定の負担を軽減することができる。設定情報は、例えば図４に示すように、タグ形式を取る、
図５は、テレビ放送受信装置（テレビ１Ａ、映像記録装置１Ｂ、テレビ１Ｃ、テレビ１Ｄ、映像記録装置１Ｅ）の概略構成の一例を示す図である。図５に示すように、テレビ放送受信装置は、チューナー２、情報設定部３、操作入力部４、表示部５を備えている。情報設定部３は、設定情報記録・生成部３Ａ、設定情報送信部３Ｂ、設定情報受信部３Ｃ、設定情報解析部３Ｄ、ＨＷ設定部３Ｅを備えている。
【００１４】
設定情報送信部３Ｂは、ユーザが指定した情報提供先（他のテレビ放送受信装置）に対して情報要求を送信する機能を持ち、設定情報受信部３Ｃは、この情報要求に対応して情報提供先から送信される情報を受信する機能を持つ。また、設定情報受信部３Ｃは、情報要求先（他のテレビ放送受信装置）から受信した情報要求に対して、設定情報記録・生成部３Ａに、その情報要求先が必要とする情報（例えば図４）を生成させ、設定情報送信部３Ｂよりこの生成した情報を送出（返信）させる機能を持つ。
【００１５】
設定情報解析部３Ｄは、自装置のＨＷ（ハードウェア）設定可能な情報を記録しており、受信した情報と自装置のＨＷ設定可能な情報とを比較し、自装置のＨＷに設定可能な情報だけをＨＷ設定部３Ｅへ提供する機能を持つ。ＨＷ設定部３Ｅは、設定情報解析部３Ｄから提供される情報をＨＷに設定する。
【００１６】
チューナー２は、ＨＷ設定部３Ｅにより設定される情報（地域情報及びチャンネル情報）に基づき、テレビ放送を受信し、受信した放送を出力する。操作入力部４は、ユーザからの操作（指示）を受け付け、情報設定部３にその操作（指示）を通知する。表示部５は、操作入力部４を介して受け付けられる操作（指示）を表示するとともに、情報設定部３に設定される情報等を表示する。例えば、表示部５には各種情報を設定するためのメニュー画面を表示することができ、ユーザは操作入力部４によりメニュー画面を介して各種情報を設定することができる。
【００１７】
ここで、映像記録装置１Ｅがネットワークに追加接続されたケースについて説明する。映像記録装置１Ｅはネットワークに接続されると、この映像記録装置１Ｅの設定情報受信部３Ｃにより、このネットワークに接続されている他の機器（情報提供先）の存在を認識する。このケースでは、他の機器として、テレビ１Ａ、映像記録装置１Ｂ、テレビ１Ｃ、テレビ１Ｄが認識される。映像記録装置１Ｅを含め全てのテレビ放送受信装置の表示部５にはメニュー画面を表示することができ、このメニュー画面を介して図２に示す地域情報及び図３に示すチャンネル情報を設定することができる。
【００１８】
例えば、このメニュー画面には、マニュアル設定ボタンと情報収集設定ボタンとが表示される。操作入力部４を介してマニュアル設定ボタンを選択すると、ユーザの意志で、図２に示す地域情報及び図３に示すチャンネル情報を一つずつ設定することができる。一方、操作入力部４を介して情報収集設定ボタンを選択すると、設定情報受信部３Ｃがネットワーク経由で他の機器（例えばテレビ１Ａ、映像記録装置１Ｂ、テレビ１Ｃ、テレビ１Ｄ）から設定情報を収集し、設定情報解析部３Ｄが収集した設定情報を解析し、ＨＷ設定部３Ｅが収集した設定情報を設定する。
【００１９】
例えば、映像記録装置１Ｅをネットワークに接続すると、この映像記録装置１Ｅの表示部５に、ネットワーク接続機器一覧を表示させることができる。このケースでは、例えば図６に示すように、ネットワーク接続機器一覧として、テレビ１Ａ、映像記録装置１Ｂ、テレビ１Ｃ、テレビ１Ｄが表示される。ユーザは、操作入力部４を介して、ネットワーク接続機器一覧の中から、所定の機器を選択することができる。ここで選択される所定の機器が、映像記録装置１Ｅに対する情報提供機器（情報提供源）となる。
【００２０】
例えば、テレビ１Ａが選択されたとする（複数の機器を選択することも可能である）。映像記録装置１Ｅの設定情報送信部３Ｂからテレビ１Ａに対して情報取得要求が送信され、テレビ１Ａの設定情報受信部３Ｃはこの情報取得要求を受信し、テレビ１Ａの設定情報記録・生成部３Ａはテレビ１Ａの持つ設定情報を図４に示す形式で生成し、テレビ１Ａの設定情報送信部３Ｂがこの設定情報を映像記録装置１Ｅに送信（返信）する。映像記録装置１Ｅの設定情報受信部３Ｃは、このテレビ１Ａから送信される設定情報を受信し、設定情報解析部３Ｄにてこの内容を解析する。解析の結果、このテレビ１Ａから送信された設定情報の中から、映像記録装置１Ｅにおいて適用できる情報を抽出し、その内容にしたがってＨＷ設定部３Ｅに伝達することにより、ＨＷ設定部３Ｅにて実際に映像記録装置１Ｅの持つ情報と同一内容の設定が行われる。
【００２１】
以上により、ユーザは同種の設定情報を各装置ごとに入力操作することなく、装置の設定を完了・使用することができるようになる。
【００２２】
また、映像記録装置１Ｅに設定された設定情報は、操作入力部４を介してユーザの意図で編集することもできる。この場合、他の機器から映像記録装置１Ｅに対して情報取得要求が出されると、映像記録装置１Ｅからは編集された設定情報が送信（返信）されることになる。これにより、他の機器に対して、設定情報の編集結果を簡単に反映させることができる。例えば、ある１台の機器の設定情報だけを編集し、他の機器は編集された設定情報を受け取るだけで、全ての機器の設定情報を編集しなくても、編集結果を全ての機器へ簡単に反映させることができる。
【００２３】
また、ネットワーク接続機器一覧の中から複数の機器（複数の情報提供源）を選択した場合には、これら複数の機器から設定情報が送信（返信される）。この場合、設定情報解析部３Ｄは、複数の設定情報のうち共通する情報だけを選択し、さらにこの選択された情報のうち適用可能な情報だけを設定する。これにより、一般的な設定情報だけが反映される（各機器に共通ではない特別な設定情報は反映されない）。或いは、表示部５に、複数の設定情報のうち共通する情報と、共通しない情報とを識別表示し、ユーザに選択させるようにしてもよい。
【００２４】
また、上記では、設定情報として、地域情報及びチャンネル情報について説明したが、この発明はこれだけに限定されるものではない。例えば、設定情報として、主映像に関する再生制御情報（画質選択設定などの情報）、副映像に関する再生制御情報（字幕表示／非表示及び字幕言語の選択設定などの情報）、及び音声に関する再生制御情報（言語の選択設定などの情報）などでもよい。
【００２５】
上記では、既設のホームネットワークに装置を追加するケースについて説明した。例えば、複数装置が接続されたホームネットワーク全体を移設した場合、どれか１つの装置に対して設定情報を設定し（設定されている設定情報を編集し）、この設定をホームネットワークに接続された他装置に転送し他装置において設定させることにより、複数装置の設定をまとめて完了させることができる。
【００２６】
以上により、ユーザは、複数の同様の機能設定を持つネットワーク接続されたＡＶ機器について、各機器に設定を行う必要はなく、他機器から設定情報を継承することにより、容易に機能設定を完了させ、使用することが可能となる。つまり、ユーザは、新しい装置をネットワークに追加するたびに、同じ情報を入力・設定しなくても、この新しい装置に簡単に必要な情報が設定できる。また、ネットワークを利用して本提案機能を実現させるにあたり、ユーザはマスタとなる機器を決定する必要がなく、よってマスタとなる機器の設定を維持・管理するといった煩雑な内容を理解・意識する必要がない。また、ネットワーク接続されたＡＶ機器群を移動設置した際に、任意の１つの機器の設定を行うだけで、他の機器はこの設定を容易に継承させることができる。また、他装置の設定情報が自装置に適用できるか或いはできないかを装置が自動的に判断するるため、ユーザはこれを意識する必要がない。
【００２７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２８】
【図１】ホームＡＶネットワークの一例を示す図である。
【図２】地域情報の一例を示す図である。
【図３】チャンネル情報の一例を示す図である。
【図４】設定情報の一例を示す図である。
【図５】テレビ放送受信装置の概略構成の一例を示す図である。
【図６】ネットワーク接続機器の一覧表示の一例を示す図である。
【符号の説明】
【００２９】
１Ａ…テレビ、１Ｂ…映像記録装置、１Ｃ…テレビ、１Ｄ…テレビ、１Ｅ…映像記録装置、２…チューナー、情報設定部３、３Ａ…設定情報記録・生成部、３Ｂ…設定情報送信部、３Ｃ…設定情報受信部、３Ｄ…設定情報解析部、３Ｅ…ＨＷ設定部、操作入力部４、表示部５、
【図１】
2007006245.tif 000003
【図２】
2007006245.tif 000004
【図３】
2007006245.tif 000005
【図４】
2007006245.tif 000006
【図５】
2007006245.tif 000007
【図６】
2007006245.tif 000008